(57)【要約】【課題】撮像装置の小型化、薄型化が可能で、かつ光学性能が良好で簡易な構成の望遠光学系を得ること。【解決手段】物体側から像側へ順に像面に対して固定された正の屈折力の第１レンズ群、像面に対して固定された光路折り曲げ部材、合成屈折力が正の屈折力の後続レンズ群にて、構成し、前記後続レンズ群の中に近距離物体への合焦を担うフォーカス群を有し、前記第１レンズ群の焦点距離ｆ１、前記後続レンズ群の無限遠物体の合焦時における合成焦点距離ｆＲ、最至近物体への合焦時における前記第１レンズ群の像側面頂点から前記後続レンズ群の物体側面頂点までの距離Ｄ１Ｒ、光学系全系の焦点距離ｆＬ、光学系のＦナンバーＦｎｏを各々適切に設定すること。【選択図】図１
2017219648.tif 000002
【特許請求の範囲】
【請求項１】
物体側から像側へ順に
像面に対して位置を固定された正の屈折力の第１レンズ群
像面に対して位置を固定された第１の光路折り曲げユニット
合成屈折力が正の屈折力の後続レンズ群
からなり
前記後続レンズ群の中に近距離物体への合焦を担うフォーカス群を有し
以下の条件式を満足することを特徴とする撮像光学系。
０．４  ＜  ｆ１／ｆＲ  ＜  １．５
０．９  ＜  Ｄ１Ｒ／（ｆＬ／Ｆｎｏ）  ＜  ５．０
ここで、
ｆ１は、前記第１レンズ群の焦点距離
ｆＲは、前記後続レンズ群の無限遠物体の合焦時における合成焦点距離
Ｄ１Ｒは、最至近物体への合焦時における、前記第１レンズ群の像側面頂点から、前記後続レンズ群の物体側面頂点までの光軸上の距離
ｆＬは、光学系全系の焦点距離
Ｆｎｏは、光学系全系の無限遠合焦時におけるＦナンバー
【請求項２】
前記後続レンズ群の中に、像面に対して位置を固定された絞りを有することを特徴とする請求項１に記載の撮像光学系。
【請求項３】
以下の条件式を満足することを特徴とする請求項１又は請求項２に記載の撮像光学系。
０．０５  ＜  ｄ１／ｆＬ  ＜  １．０
ここで、
ｄ１は、前記第１レンズ群の最物体側面頂点から、前記第１の光路折り曲げユニットの光軸折り曲げ位置までの距離（絶対値）
【請求項４】
以下の条件式を満足することを特徴とする請求項１乃至請求項３の何れか一項に記載の撮像光学系。
０．８  ＜  ｆ１／ｆＬ  ＜  ４．０
【請求項５】
以下の条件式を満足することを特徴とする請求項１乃至請求項４の何れか一項に記載の撮像光学系。
０．１  ＜  ｆｆｏｃ／ｆＲ  ＜  ２．０
ここで、
ｆｆｏｃは、前記後続レンズ群の中のフォーカス群の焦点距離
【請求項６】
以下の条件式を満足することを特徴とする請求項１乃至請求項４の何れか一項に記載の撮像光学系。
０．８  ＜  ＯＡＬ／ｆＬ  ＜  ３．０
ここで、
ＯＡＬは、前記第１レンズ群の最物体側面頂点から像面までの光軸上の距離（絶対値）
【請求項７】
前記後続レンズ群の中に、像面に対して位置を固定された第２の光路折り曲げユニットを有することを特徴とする請求項１乃至請求項６の何れか一項に記載の撮像光学系。
【請求項８】
前記第１の光路折り曲げユニットで屈曲された光軸と、前記第２の光路折り曲げユニットで屈曲された光軸は、ねじれの位置に配置することを特徴とする請求項７に記載の撮像光学系。
【請求項９】
以下の条件式を満足することを特徴とする請求項７又は請求項８に記載の撮像光学系。
０．３  ＜  ｄＲ／ｆＬ  ＜  １．２
ここで、
ｄＲは、前記第１の光路折り曲げユニットの光軸折り曲げ位置から、前記第２の光路折り曲げユニットの光軸折り曲げ位置までの距離（絶対値）
【発明の詳細な説明】
【技術分野】
【０００１】
本発明は、撮像光学系に関する。例えば、デジタルスチルカメラ、デジタルビデオカメラ等に好適な撮像光学系に関する。
【背景技術】
【０００２】
近年、電子撮像素子を用いたデジタルスチルカメラ、デジタルビデオカメラ等の撮像装置においては、小型かつ光学性能が良好な光学系が要望されている。とくに、望遠領域へ撮影領域を拡大する望遠光学系においては、撮像装置の小型、薄型化が実現できる構成が求められている。また、撮像装置の更なる小型化、ローコスト化の観点から、光学系の構成はより簡易であることが求められている。
【０００３】
簡易な構成で光学系を大口径化、高性能化できる構成として、物体側から順に、２つの正レンズ群よりなり、各レンズ群をガウス構成とした所謂ダブルガウス光学系が知られている。さらに、物体側に配置した正レンズ群をフォーカス群とした、リアフォーカス方式のダブルガウス光学系が知られている（特許文献１）。
【先行技術文献】
【特許文献】
【０００４】
【特許文献１】特開２０００−３３８３９６号公報
【発明の概要】
【発明が解決しようとする課題】
【０００５】
前述した、正、正構成の光学系は、簡易な構成にて光学系を大口径化、高性能化することが可能であるが、光学系の全長短縮は困難であり撮像装置向けの望遠光学系への適用は
行われてこなかった。
【０００６】
そこで、光路折り曲げユニットを用いることで光軸を屈曲し、光学系の全長を許容しつつも撮像装置の小型化を実現することを考えた。この構成をとる場合、撮像装置を小型化するためには、各レンズ群の屈折力配置と光路折り曲げユニットを配する空間が重要である。これらの構成が不適切であると、撮像装置の小型化と光学系の高性能化、構成の簡易化の両立が大変困難になってくる。
【０００７】
特許文献１では、リアフォーカス方式のダブルガウス光学系を開示している。特許文献１の光学系の構成を望遠光学系に適用しようとすると、全長が大型化し撮像装置の厚みが増大してしまう。また、第１レンズ群と第２レンズ群は、至近物体への合焦時に近接する構成である。このとき、第１〜第２レンズ群間に光路折り曲げ部材を配置しようとすると、撮像光束がケラレる、若しくは、合焦可能な物体距離が極端に長くなってしまう。
【０００８】
本発明は、撮像装置の小型化、薄型化が可能で、かつ光学性能が良好で簡易な構成の望遠光学系を提供することを目的とする。
【課題を解決するための手段】
【０００９】
上記の目的を達成するために、本発明に係る撮像光学系は、
物体側から像側へ順に
像面に対して固定された正の屈折力の第１レンズ群
像面に対して固定された光路折り曲げ部材
無限遠物体の合焦時における合成屈折力が正の後続レンズ群
からなり
前記後続レンズ群の中に近距離物体への合焦を担うフォーカス群を有し
前記第１レンズ群の焦点距離をｆ１
前記後続レンズ群の無限遠物体の合焦時における合成焦点距離をｆＲ
最至近物体への合焦時における、前記第１レンズ群の像側面頂点から、前記後続レンズ群の物体側面頂点までの距離をＤ１Ｒ
光学系全系の焦点距離をｆＬ
光学系のＦナンバーをＦｎｏ
とするとき、
以下の条件式を満足することを特徴とする。
【００１０】
０．４  ＜  ｆ１／ｆＲ  ＜  １．５
０．９  ＜  Ｄ１Ｒ／（ｆＬ／Ｆｎｏ）  ＜  ５．０
【発明の効果】
【００１１】
本発明によれば、撮像装置の小型化、薄型化が可能で、かつ光学性能が良好で簡易な構成の望遠光学系が得られる。
【図面の簡単な説明】
【００１２】
【図１】実施例１のレンズ断面図
【図２】実施例１のレンズ断面図（光路折り曲げ状態）
【図３】（Ａ）、（Ｂ）  実施例１の無限遠合焦時、像面から１０００ｍｍの位置の物体への合焦時における縦収差図
【図４】実施例２のレンズ断面図
【図５】実施例２のレンズ断面図（光路折り曲げ状態）
【図６】（Ａ）、（Ｂ）  実施例２の無限遠合焦時、像面から１０００ｍｍの位置の物体への合焦時における縦収差図
【図７】実施例３のレンズ断面図
【図８】実施例３のレンズ断面図（光路折り曲げ状態）
【図９】（Ａ）、（Ｂ）  実施例３の無限遠合焦時、像面から１０００ｍｍの位置の物体への合焦時における縦収差図
【図１０】実施例４のレンズ断面図
【図１１】実施例４のレンズ断面図（光路折り曲げ状態）
【図１２】（Ａ）、（Ｂ）  実施例４の無限遠合焦時、像面から１０００ｍｍの位置の物体への合焦時における縦収差図
【図１３】実施例５のレンズ断面図
【図１４】実施例５のレンズ断面図（光路折り曲げ状態）
【図１５】（Ａ）、（Ｂ）  実施例５の無限遠合焦時、像面から５００ｍｍの位置の物体への合焦時における縦収差図
【発明を実施するための形態】
【００１３】
以下に、本発明の好ましい実施の形態を、添付の図面に基づいて詳細に説明する。
本発明の撮像光学系は、物体側から像側へ順に、像面に対して位置を固定された正の屈折力の第１レンズ群、像面に対して位置を固定された第１の光路折り曲げユニット、合成屈折力が正の屈折力の後続レンズ群にて構成している。また、後続レンズ群の中に近距離物体への合焦を担うフォーカス群を有している。
【００１４】
図１、図４、図７、図１０、図１３は本発明の実施例１乃至５の無限遠物体の合焦時におけるレンズ断面図である。また、図２、図５、図８、図１１、図１４は本発明の実施例１乃至５の光路折り曲げ状態におけるレンズ断面図である。また、図３、図６、図９、図１２、図１５は本発明の実施例１乃至５の縦収差図である。収差図において、（Ａ）は無限遠物体への合焦時、（Ｂ）は有限距離物体への合焦時を表している。
【００１５】
各実施例の光学系は撮像装置に用いられる撮影レンズ系であり、レンズ断面図において、左方が被写体側（物体側）で、右方が像側（後方）である。
【００１６】
レンズ断面図においてＬ１は正の屈折力（光学的パワー＝焦点距離の逆数）の第１レンズ群である。ＬＲは無限遠物体の合焦時における合成屈折力が正の後続レンズ群である。ＬＲａは、後続レンズ群中の物体側部分レンズ群である。ＬＲｂは、後続レンズ群中の像側部分レンズ群である。ＵＲは、光路折り曲げユニットである。ＳＳは開口絞りである。ＩＰはＣＣＤセンサやＣＭＯＳセンサなどの固体撮像素子（光電変換素子）の撮像面に相当する像面である。
【００１７】
縦収差図において、ｄ-line、ｇ-lineは各々ｄ線及びｇ線、ΔＭ、ΔＳはメリディオナル像面、サジタル像面である。倍率色収差はｇ線によって表している。ωは撮影半画角（度）、ＦｎｏはＦナンバーである。
【００１８】
各実施例において、第１レンズ群Ｌ１の焦点距離をｆ１とする。また、後続レンズ群ＬＲの無限遠物体の合焦時における合成焦点距離をｆＲとする。また、最至近物体への合焦時における、第１レンズ群Ｌ１の像側面頂点から、後続レンズ群ＬＲの物体側面頂点までの光軸上の距離をＤ１Ｒとする。また、光学系全系の焦点距離をｆＬ、無限遠合焦時におけるＦナンバーをＦｎｏとする。このとき、
０．４  ＜  ｆ１／ｆＲ  ＜  １．５      …（１）
０．９  ＜  Ｄ１Ｒ／（ｆＬ／Ｆｎｏ）  ＜  ５．０      …（２）
なる条件式を満足している。
【００１９】
条件式（１）は、第１レンズ群Ｌ１の焦点距離と後続レンズ群ＬＲの焦点距離の比を規定した条件式である。条件式（１）を満足することにより、光路折り曲げユニットの小型化と光学性能の高性能化を実現している。また、条件式（１）は、光路折り曲げ構成を用いて光学全長を許容し、光学系の高性能化とレンズ構成の簡略化を実現するための屈折力配置の範囲を規定している。この屈折力構成では、前群、後群ともに正屈折力の構成であるため、とくに望遠光学系においては、色収差と球面収差の各群内での補正が重要となる。
【００２０】
条件式（１）の下限を超えると、第１レンズ群Ｌ１の焦点距離が後続レンズ群ＬＲの焦点距離に比して小さくなりすぎ、第１レンズ群Ｌ１で生じる色収差の補正と球面収差の補正が困難となる。一方、上限を超えると、第１レンズ群Ｌ１の焦点距離が後続レンズ群ＬＲの焦点距離に比して大きくなりすぎる。このとき、光学系全系が大型化しすぎるとともに、第１レンズ群Ｌ１での収斂作用が弱くなり、第１の光路折り曲げユニットが大型化することで、撮像装置の厚みが増大してしまうのでよくない。
【００２１】
条件式（２）は、最至近物体への合焦時における第１レンズ群Ｌ１の像側面頂点から、後続レンズ群ＬＲの物体側面頂点までの光軸上の距離を、入射瞳径との比を規定している。本発明では、第１レンズ群Ｌ１と後続レンズ群ＬＲの間に、第１の光路折り曲げユニットＵＲを配置することで、撮像装置の薄型化を実現している。ここで、大口径な望遠光学系では、第１レンズ群Ｌ１の径は入射瞳径で律速される。このとき、条件式（２）を満足する構成とすることで、光路折り曲げユニットを最適な位置に配置することが可能となる。
【００２２】
条件式（２）の下限を超えると、最至近物体への合焦時における第１レンズ群Ｌ１の像側面頂点から、後続レンズ群ＬＲの物体側面頂点までの光軸上の距離が小さくなりすぎ、光路折り曲げユニットＵＲの配置が困難となる。一方、上限を超えると、最至近物体への合焦時における第１レンズ群Ｌ１の像側面頂点から、後続レンズ群ＬＲの物体側面頂点までの光軸上の距離が大きくなりすぎる。この場合、光路折り曲げにより撮像装置の厚みの薄型化は実現できるものの、撮像装置の高さ（幅）方向の小型化が困難となるのでよくない。
【００２３】
これにより、各実施例では撮像装置の小型化、薄型化が可能で、かつ光学性能が良好で簡易な構成の望遠光学系を実現している。
【００２４】
各実施例においてより好ましくは条件式（１）、（２）の数値範囲を次の如く設定するのが良い。
【００２５】
０．５  ＜  ｆ１／ｆＲ  ＜  １．３      …（１ａ）
１．０  ＜  Ｄ１Ｒ／（ｆＬ／Ｆｎｏ）  ＜  ４．０      …（２ａ）
各実施例において、さらに好ましくは、条件式（１ａ）、（２ａ）の数値範囲を次の如く設定するのが良い。
【００２６】
０．６  ＜  ｆ１／ｆＲ  ＜  １．２      …（１ｂ）
１．２  ＜  Ｄ１Ｒ／（ｆＬ／Ｆｎｏ）  ＜  ２．５      …（２ｂ）
【００２７】
本発明の光学系において、後続レンズ群の中に、像面に対して位置を固定された絞りを配置すると良い。これによれば、絞り径を小径化することで小型な絞りユニットを構成できる。また、本発明の光学系において、より好ましくは次の条件式のうち１つ以上を満足するのが良い。
【００２８】
第１レンズ群の最物体側面頂点から、第１の光路折り曲げユニットの光軸折り曲げ位置までの距離（絶対値）をｄ１とする。後続レンズ群の中のフォーカス群の焦点距離をｆｆｏｃとする。第１レンズ群の最物体側面頂点から像面までの光軸上の距離（絶対値）をＯＡＬとする。このとき次の諸条件のうち１以上を満足するのが良い。
【００２９】
０．０５  ＜  ｄ１／ｆＬ  ＜  １．０      …（３）
０．８  ＜  ｆ１／ｆＬ  ＜  ４．０      …（４）
０．１  ＜  ｆｆｏｃ／ｆＲ  ＜  ２．０      …（５）
０．８  ＜  ＯＡＬ／ｆＬ  ＜  ３．０      …（６）
【００３０】
また、本発明の光学系において、後続レンズ群中に像面に対して位置を固定された第２の光路折り曲げユニットを配置すると良い。これによれば、光軸を２回折り畳むことで、撮像装置の更なる小型化を実現できる。
【００３１】
ここで、光学系に２つの光路折り曲げユニットを有する場合、第１の光路折り曲げユニットで屈曲された光軸と、第２の光路折り曲げユニットで屈曲された光軸は、ねじれの位置に配置すると良い。これによれば、第１の光路折り曲げにより撮像装置の厚み方向を小型化しつつ、第２の光路折り曲げにより撮像装置の厚みを増大することなく撮像装置の高さ（幅）方向を小型化することができる。このとき、より好ましくは次の条件式を満足するのが良い。
【００３２】
第１の光路折り曲げユニットの光軸折り曲げ位置から、第２の光路折り曲げユニットの光軸折り曲げ位置までの距離（絶対値）をｄＲとする。このとき次の条件を満足するのが良い。
０．３  ＜  ｄＲ／ｆＬ  ＜  １．２      …（７）
次に各条件式の技術的意味について説明する。条件式（３）は、第１の光路折り曲げユニットの配置を規定している。第１の光路折り曲げユニットを第１レンズ群の近傍に配置し光軸を屈曲することで、撮像装置の薄型化を実現している。
【００３３】
条件式（３）の下限を超えると、光路折り曲げユニットが第１レンズ群と近づきすぎる配置となり、干渉してしまう。一方、上限を超えると、光路折り曲げユニットが第１レンズ群と離れすぎる配置となり、撮像装置の厚みが増大してしまうのでよくない。
【００３４】
条件式（４）は、第１レンズ群の焦点距離を規定している。第１レンズ群の焦点距離を最適化することで、光路折り曲げユニットの小型化と光学系の高性能化を両立している。条件式（４）の下限を超えると、第１レンズ群の焦点距離が短くなりすぎて、色収差と球面収差の補正が困難となる。一方、上限を超えると、第１レンズ群の焦点距離が長くなりすぎて、光路折り曲げユニットの小型化が困難となるのでよくない。
【００３５】
条件式（５）は、後続レンズ群の中に配置されるフォーカス群の焦点距離を規定している。フォーカス群の焦点距離を最適化することで、フォーカス群移動量の抑制と光学系の高性能化を両立している。
【００３６】
条件式（５）の下限を超えると、フォーカス群の焦点距離が短くなりすぎて、とくにコマ収差と像面彎曲のフォーカス変動の補正が困難となる。一方、上限を超えると、フォーカス群の焦点距離が長くなりすぎる。このとき、フォーカス群の移動量が増大し光学系が大型化するとともに、フォーカス制御のためのメカ部材などを含め撮像装置が大型化するのでよくない。
【００３７】
条件式（６）は、光学系の全長を規定している。光路折り曲げユニットを用いることを前提とし、光学系の全長を適切に許容した配置とすることで、レンズ構成枚数の削減と光学系の高性能化を実現している。条件式（６）の下限を超えると、光学系の全長が短くなりすぎ、条件式（１）の屈折力配置を維持することが困難である。このとき、高い光学性能を得るためにはレンズ枚数の増加が避けられない。一方、上限を超えると、光学系の全長が長くなりすぎ、光路折り曲げユニットを用いたとしても撮像装置全体が大型化するのでよくない。
【００３８】
条件式（７）は、第１の光路折り曲げユニットと第２の光路折り曲げユニットとの配置を規定している。第１の光路折り曲げユニットと第２の光路折り曲げユニットを適切に配置することで、撮像装置の厚みと高さ（幅）方向を小型化している。
【００３９】
条件式（７）の下限を超えると、第１の光路折り曲げユニットと第２の光路折り曲げユニットが近づきすぎる配置となり、ユニットが干渉する、若しくは、第２の反射ユニットと像面の距離が離れすぎる構成となり撮像装置の高さ（幅）方向が増大してしまう。一方、上限を超えると、第１の光路折り曲げユニットと第２の光路折り曲げユニットが離れすぎる配置となり、撮像装置の高さ（幅）方向が増大してしまうのでよくない。
【００４０】
各実施例において、より好ましくは条件式（３）乃至（７）の数値範囲を以下の範囲とするのがよい。
０．１  ＜  ｄ１／ｆＬ  ＜  ０．７      …（３ａ）
１．０  ＜  ｆ１／ｆＬ  ＜  ３．０      …（４ａ）
０．２  ＜  ｆｆｏｃ／ｆＲ  ＜  １．５      …（５ａ）
１．０  ＜  ＯＡＬ／ｆＬ  ＜  ２．５      …（６ａ）
０．４  ＜  ｄＲ／ｆＬ  ＜  １．０      …（７ａ）
【００４１】
各実施例において、さらに好ましくは条件式（３ａ）〜（７ａ）の数値範囲を以下の範囲とするのがよい。
０．１２  ＜  ｄ１／ｆＬ  ＜  ０．４      …（３ｂ）
１．２  ＜  ｆ１／ｆＬ  ＜  ２．５      …（４ｂ）
０．３  ＜  ｆｆｏｃ／ｆＲ  ＜  １．２      …（５ｂ）
１．１  ＜  ＯＡＬ／ｆＬ  ＜  ２．０      …（６ｂ）
０．５  ＜  ｄＲ／ｆＬ  ＜  ０．８      …（７ｂ）
【００４２】
［実施例１］
以下、図１を参照して、本発明の実施例１の光学系について説明する。
実施例１は物体側から像側へ順に、正の屈折力の第１レンズ群Ｌ１、光路折り曲げユニットＵＲ、絞りＳＳを有する正の屈折力の後続レンズ群ＬＲにて構成している。実施例１では、第１レンズ群Ｌ１と光路折り曲げユニットＵＲは像面に対して固定している。また、近距離物体への合焦は、後続レンズ群ＬＲを光軸上で移動するリアフォーカスを採用している。
【００４３】
ここで、第１レンズ群Ｌ１は物体側から像側へ順に、正レンズ、負レンズの２枚で構成している。また、後続レンズ群ＬＲは物体側から像側へ順に、負レンズ、非球面有する正レンズの２枚で構成している。望遠光学系の屈折力配置を正、正の構成とすることで、各レンズ群の構成枚数を削減と光学系の大口径化、高性能化を両立している。さらに、第１レンズ群Ｌ１の像側に光路折り曲げユニットＵＲを配置し、光軸を屈曲することで、撮像装置の薄型化を実現している。
【００４４】
［実施例２］
以下、図４を参照して、本発明の実施例２の光学系について説明する。
実施例２の光学系の構成、フォーカス方式は実施例１と同じである。
【００４５】
実施例２は実施例１と比較して、後続レンズ群ＬＲの中に、第２の光路折り曲げユニットＵＲ２を配置したことが異なる。ここで、物体と第１レンズ群Ｌ１のなす光軸を第１の光軸、第１の光路折り曲げユニットＵＲ１にて屈曲された光軸を第２の光軸、第２の光路折り曲げユニットＵＲ２にて屈曲された光軸を第３の光軸とする。このとき、実施例２では、第１の光軸と第３の光軸が、ねじれの位置に配置されるように構成している。この構成により、撮像装置の薄型化を実現するとともに、撮像装置の高さ方向の小型化も実現している。
【００４６】
［実施例３］
以下、図６を参照して、本発明の実施例３の光学系について説明する。
実施例３は物体側から像側へ順に、正の屈折力の第１レンズ群Ｌ１、第１の光路折り曲げユニットＵＲ１、絞りＳＳを有する正の屈折力の後続レンズ群ＬＲにて構成している。
【００４７】
実施例３では、後続レンズ群ＬＲを正の屈折力の物体側部分レンズ群ＬＲａ、第２の光路折り曲げユニットＵＲ２、負の屈折力の像側部分レンズ群ＬＲｂにて構成している。また、第１レンズ群Ｌ１、光路折り曲げユニットＵＲ１およびＵＲ２、像側部分レンズ群ＬＲｂは像面に対して固定している。また、近距離物体への合焦は、後続レンズ群ＬＲの中の物体側部分レンズ群ＬＲａを光軸上で移動するインナーフォーカスを採用している。
【００４８】
ここで、第１レンズ群Ｌ１は物体側から像側へ順に、正レンズ、負レンズの２枚で構成している。また、物体側部分レンズ群ＬＲａは物体側から像側へ順に、負レンズ、非球面有する正レンズの２枚で構成している。また、像側部分レンズ群ＬＲｂは、非球面の負レンズ１枚にて構成している。後続レンズ群ＬＲを複数の部分レンズ群にて構成することにより、特に近距離物体合焦時の球面収差変動と像面彎曲変動を良好に補正している。
【００４９】
［実施例４］
以下、図８を参照して、本発明の実施例４の光学系について説明する。
実施例４の光学系の構成、フォーカス方式は実施例３と同じである。実施例４は実施例３と比較して、焦点距離と口径比を変更したことが異なる。
【００５０】
［実施例５］
以下、図１０を参照して、本発明の実施例５の光学系について説明する。
実施例５の光学系の構成は、実施例３の構成からＵＲ２を省略したものである。フォーカス方式は実施例３と同じである。実施例５は前述の実施例と比較して、光路折り曲げユニットとしてプリズムを用いたことが異なる。光路折り曲げユニットとしてプリズムを用いることで光路長を短縮し、撮像装置の更なる小型化、薄型化を実現している。
【００５１】
ここで、手ぶれの補正に際して、後続レンズ群ＬＲの少なくとも一部を変位する構成のほか、光路折り曲げユニットの反射面の制御、撮像素子を変位する構成など、各種公知の手法を適用してもよい。
【００５２】
以上、本発明の好ましい実施形態について説明したが、本発明はこれらの実施形態に限定されず、その要旨の範囲内で種々の変形及び変更が可能である。
【００５３】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、ｋ、Ａ４、Ａ６、Ａ８、Ａ１０は非球面係数である。
【００５４】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。尚、バックフォーカスＢＦは最終面からの距離で表している。また、前述の各条件式と各数値実施例との関係を表１に示す。
【００５５】
（数値実施例１）
単位 mm
面データ
面番号       r        d      nd         vd       有効径
1         39.548    3.53   1.59282    68.6       14.24
2        -40.527    1.08   1.74950    35.3       13.93
3       -103.483    0.05                         13.79
4          ∞       7.00                         13.60
5          ∞       7.00                         11.76
6          ∞     (可変)                          9.91
7         -7.576    1.08   1.68893    31.2        8.18
8        -25.686    0.10                          8.86
9        -29.298    3.80   1.76802    49.2        8.91
10*        -8.802  (可変)                          9.83
11(絞り)    ∞      23.45                          8.26
像面        ∞   
非球面データ
第10面
K = 1.21150e-001  A 4= 1.04023e-004  A 6= 4.47201e-007  A 8= 2.53442e-008  
各種データ
焦点距離      41.00  
Fナンバー      2.88  
画角           4.18  
像高           3.00  
レンズ全長    58.31  
BF            23.45  
物体距離      無限遠        像面~-1000mm
d 6           7.78        4.29
d10           3.00        6.49
入射瞳位置    61.04  
射出瞳位置     0.00  
前側主点位置  30.35  
後側主点位置 -17.55  
ズームレンズ群データ
群  始面    焦点距離  レンズ構成長  前側主点位置  後側主点位置
L1    1      54.93         4.61         0.66         -2.20
UR    4       ∞          14.00         7.00         -7.00
LR    7      51.62         4.98        12.91         13.36
SS   11       ∞           0.00         0.00          0.00
単レンズデータ
レンズ  始面  焦点距離
1       1     34.33
2       2    -89.54
3       7    -15.99
4       9     15.16
【００５６】
（数値実施例２）
単位 mm
面データ
面番号       r        d      nd         vd       有効径
1         23.437    2.82   1.69680    55.5       10.00
2        -30.292    0.23                          9.61
3        -27.316    1.08   1.60342    38.0        9.50
4         41.973    1.50                          9.16
5          ∞       4.50                          8.94
6          ∞       4.50                          8.13
7          ∞       7.25                          7.33
8(絞り)    ∞     (可変)                          6.03
9         -8.001    1.08   1.58144    40.8        5.37
10         15.747    0.14                          5.96
11         18.554    1.97   1.76802    49.2        6.04
12*       -10.113  (可変)                          6.37
13          ∞       3.50                          6.31
14          ∞       3.50                          6.25
15          ∞      11.62                          6.19
像面        ∞   
非球面データ
第12面
K = 0.00000e+000  A 4= 4.36379e-005  
各種データ 
焦点距離      41.00  
Fナンバー      4.12  
画角           4.18  
像高           3.00  
レンズ全長    53.01  
BF            11.62  
物体距離      無限遠        像面~-1000mm
d 8           6.31        3.00
d12           3.00        6.31
入射瞳位置    34.82  
射出瞳位置   -22.60  
前側主点位置  26.70  
後側主点位置 -29.38  
ズームレンズ群データ
群  始面    焦点距離  レンズ構成長  前側主点位置  後側主点位置
L1    1      56.59         4.14        -2.28         -4.66
UR1   5       ∞           9.00         4.50         -4.50
SS    8       ∞           0.00         0.00          0.00
LR    9      52.06         3.18         8.07          7.28
UR2  13       ∞           7.00         3.50         -3.50
単レンズデータ
レンズ  始面  焦点距離
1       1     19.38
2       3    -27.26
3       9     -8.97
4      11      8.78
【００５７】
（数値実施例３）
単位 mm
面データ
面番号       r        d      nd         vd       有効径
1         47.966    3.39   1.48749    70.2       14.24
2        -18.448    1.08   1.51742    52.4       14.09
3       -116.752    1.00                        13.91
4          ∞       7.00                         13.69
5          ∞       7.00                         12.41
6          ∞     (可変)                         11.12
7        -11.357    1.08   1.80610    40.9       10.32
8        -26.407    0.50                         10.93
9         86.573    3.64   1.55332    71.7       11.29
10*       -11.582  (可変)                         11.56
11(絞り)    ∞       5.00                         10.25
12          ∞       5.50                          9.19
13          ∞       5.50                          8.29
14          ∞       8.65                          7.39
15        -26.378    1.00   1.53110    55.9        6.00
16*        99.988    2.06                          5.97
像面        ∞   
非球面データ
第10面
K = 0.00000e+000  A 4= 6.67720e-005  A 6= 2.11961e-007  A 8= 2.52057e-009  
第16面
K = 0.00000e+000  A 4= 1.78969e-004  A 6= 1.03751e-006  
各種データ
焦点距離      41.00  
Fナンバー      2.88  
画角           4.18  
像高           3.00  
レンズ全長    60.00  
BF             2.06  
物体距離      無限遠        像面~-1000mm
d 6           5.60        3.59
d10           2.00        4.01
入射瞳位置    43.19  
射出瞳位置   -15.70  
前側主点位置 -10.45  
後側主点位置 -38.94  
ズームレンズ群データ
群  始面    焦点距離  レンズ構成長  前側主点位置  後側主点位置
L1    1      77.64         4.47         0.74         -2.27
UR1   4       ∞          14.00         7.00         -7.00
LRa   7      45.47         5.22         8.47          6.27
SS   11       ∞           0.00         0.00         -0.00
UR2  12       ∞          11.00         5.50         -5.50
Lrb  15     -39.19         1.00         0.14         -0.52
LR    7     125.10        32.87       -57.02        -56.97
単レンズデータ
レンズ  始面  焦点距離
1       1     27.80
2       2    -42.50
3       7    -25.54
4       9     18.71
5      15    -39.19
【００５８】
（数値実施例４）
単位 mm
面データ
面番号       r        d      nd         vd       有効径
1         47.250    3.20   1.48749    70.2       16.33
2        -51.532    1.20   1.80610    33.3       16.12
3       -111.685    1.50                         16.06
4          ∞       8.00                         15.73
5          ∞       8.00                         14.24
6          ∞     (可変)                         12.75
7         -7.848    0.80   1.57135    53.0        8.56
8        -23.743    0.15                          9.12
9        -32.414    2.00   1.55332    71.7        9.20
10*        -8.116  (可変)                          9.46
11(絞り)    ∞       2.50                          8.70
12          ∞       4.50                          8.35
13          ∞       4.50                          7.98
14          ∞      15.43                          7.61
15        -12.500    1.00   1.53110    55.9        6.38
16*       -13.659    6.92                          6.51
像面        ∞   
非球面データ
第10面
K = 0.00000e+000  A 4= 8.02737e-005  A 6= 4.47265e-007  A 8= 2.38135e-008  
第16面
K = 0.00000e+000  A 4=-5.42310e-005  A 6= 3.07431e-008  
各種データ
焦点距離      67.30  
Fナンバー      4.12  
画角           2.55  
像高           3.00  
レンズ全長    84.99  
BF             6.92  
物体距離      無限遠        像面~-1000mm
d 6           23.79         15.63
d10           1.50        9.66 
入射瞳位置    98.33  
射出瞳位置   -27.17  
前側主点位置  32.79  
後側主点位置 -60.38  
ズームレンズ群データ
群  始面    焦点距離  レンズ構成長  前側主点位置  後側主点位置
L1    1      88.43         4.40         0.63         -2.21
UR1   4       ∞          16.00         8.00         -8.00
LRa   7      88.63         2.95        11.83         11.42
SS   11       ∞           0.00         0.00         -0.00
UR2  12       ∞           9.00         4.50         -4.50
LRb  15    -395.67         1.00       -10.05        -10.98
LR    7     111.68        32.38         9.87        -19.76
単レンズデータ
レンズ  始面  焦点距離
1       1     51.11
2       2   -119.76
3       7    -20.90
4       9     19.01
5      15   -395.67
【００５９】
（数値実施例５）
ex5
単位 mm
面データ
面番号       r        d      nd         vd       有効径
1         27.144    3.60   1.48749    70.2       13.20
2        -19.436    1.00   1.58267    46.4       12.93
3       -158.170    1.50                         12.71
4          ∞       6.50   1.51633    64.1       12.57
5          ∞       6.50   1.51633    64.1       11.63
6          ∞       8.57                         10.68
7(絞り)    ∞     (可変)                          8.56
8        -12.361    0.80   1.84666    23.8        7.86
9        -18.329    0.15                          8.04
10         14.454    3.00   1.55332    71.7        8.01
11*       -18.000  (可変)                          7.94
12         -9.117    1.00   1.53110    55.9        5.60
13*        99.970    2.04                          5.71
像面        ∞   
非球面データ
第11面
K = 0.00000e+000  A 4= 9.78756e-005  A 6=-4.39936e-007  A 8= 8.09793e-009  
第13面
K = 0.00000e+000  A 4= 8.10333e-005  A 6=-6.56865e-006  
各種データ
焦点距離      27.20  
Fナンバー      2.06  
画角           6.29  
像高           3.00  
レンズ全長    48.48  
BF             2.04  
物体距離      無限遠        像面~-500mm
d 7           3.82        2.50
d11           10.00         11.32
入射瞳位置    34.16  
射出瞳位置    -9.19  
前側主点位置  -4.47  
後側主点位置 -25.16  
ズームレンズ群データ
群  始面    焦点距離  レンズ構成長  前側主点位置  後側主点位置
L1    1      59.64         4.60        -0.03         -3.09
UR    4       ∞          13.00         4.29         -4.29
SS    7       ∞           0.00         0.00         -0.00
LRa   8      20.30         3.95         2.37         -0.06
LRb  12     -15.68         1.00         0.05         -0.60
LR    7      57.93        18.77       -31.18        -29.47
単レンズデータ
レンズ  始面  焦点距離
1       1     23.84
2       2    -38.13
5       8    -47.78
6      10     14.98
7      12    -15.68
【００６０】
【表１】
2017219648.tif 000003
【符号の説明】
【００６１】
Ｌ１  第１レンズ群、ＬＲ  後続レンズ群、
ＬＲａ  後続レンズ群中の物体側部分レンズ群、
ＬＲｂ  後続レンズ群中の像側部分レンズ群、ＵＲ  光路折り曲げユニット、
ＳＳ  開口絞り、ＩＰ  像面
【図１】
2017219648.tif 000004
【図２】
2017219648.tif 000005
【図３】
2017219648.tif 000006
【図４】
2017219648.tif 000007
【図５】
2017219648.tif 000008
【図６】
2017219648.tif 000009
【図７】
2017219648.tif 000010
【図８】
2017219648.tif 000011
【図９】
2017219648.tif 000012
【図１０】
2017219648.tif 000013
【図１１】
2017219648.tif 000014
【図１２】
2017219648.tif 000015
【図１３】
2017219648.tif 000016
【図１４】
2017219648.tif 000017
【図１５】
2017219648.tif 000018